(57)【要約】【課題】  鍛造製品を均一な外径と厚さに成形することができる金型装置を提供する。【解決手段】  鍛造用金型装置１０は、成形面２５を有する下据込み型１９と、可動式リング型２２と、成形面３６を有する上据込み型３４とを備えている。上据込み型３４が下据込み型１９に向かって降下したとき、成形面２５，３６間で材料Ｗが成形される。可動式リング型２２は、下据込み型１９の成形面２５上に水平な姿勢で載置され、水平方向に移動自在である。可動式リング型２２は、上方から見て円形の内周面４０を有している。下据込み型１９と上据込み型３４との間で材料Ｗが成形される途中で、材料Ｗの一部が可動式リング型２２の内周面４０の一部に当接することによって、可動式リング型２２が水平方向に移動する。上据込み型３４が下降端に至ると、材料Ｗの外周全体が可動式リング型２２の内周面４０によって拘束された状態で成形が完了する。【選択図】    図１
2005254305.tif 000002
【特許請求の範囲】
【請求項１】
材料を載置する成形面を有する下据込み型と、
前記下据込み型に対して昇降可能に設けられ、前記下据込み型の成形面と対向する成形面を有し、前記下据込み型に向かって降下したときに前記下据込み型の成形面との間で前記材料を成形する上据込み型と、
前記下据込み型に対し水平な姿勢で配置されかつ水平方向に移動自在な可動式リング型であって、上方から見て円形の内周面を有し、その内側に前記材料が配置され、前記下据込み型と前記上据込み型との間で前記材料が成形される途中において該材料の一部が前記内周面に当接することによって水平方向に移動し、前記上据込み型が下降端に至った状態において該材料の外周全体が前記内周面によって拘束された状態で成形が完了するようにした可動式リング型と、
を具備したことを特徴とする鍛造用金型装置。
【請求項２】
前記可動式リング型の内周面は、上部側の内径が下部側の内径よりも大となるように傾斜していることを特徴とする請求項１に記載の鍛造用金型装置。
【請求項３】
前記上据込み型の上下方向の位置を微調整することが可能な高さ調整手段をさらに備えていることを特徴とする請求項１または２に記載の鍛造用金型装置。
【発明の詳細な説明】
【技術分野】
【０００１】
この発明は、例えば金属製品を鍛造によって成形する際に使用される鍛造用金型装置に関する。
【背景技術】
【０００２】
鍛造によって金属製品等を成形する場合、金型装置の形態に応じて、フリー鍛造と、型鍛造と、中間鍛造との３種類が知られている。（例えば下記特許文献１の図１，図７，図９等参照）
フリー鍛造では、図８に示す鍛造用金型装置１のように、材料Ｗの外周を拘束することなく、下据込み型２と上据込み型３との間で成形が行われる。  
型鍛造では、図９に示す鍛造用金型装置４のように、下据込み型５と上据込み型６との間で材料Ｗが密閉された状態で成形が行われる。
【０００３】
中間鍛造では、図１０に示す鍛造用金型装置７のように、材料Ｗの中央部が下据込み型８と上据込み型９とによって拘束され、材料Ｗの外周は拘束されることなく成形が行われる。
【特許文献１】特開平１１−２５４０７９号公報
【発明の開示】
【発明が解決しようとする課題】
【０００４】
図８に示すフリー鍛造では、材料Ｗの外周が拘束されていない状態で成形が行われるため、厚みが均一の製品を得ることができるが、製品の外径が不均一になりやすいという問題がある。特に、成形前の材料Ｗに加熱むらが生じていたり、型２，３の成形面の摩耗による成形抵抗のばらつきが生じたり、成形前の材料Ｗ自体が歪んでいる等の要因が加わると、成形された製品の外径がさらに不均一になってしまう。
【０００５】
図９に示す型鍛造の場合には、材料Ｗの外周が据込み型５，６によって拘束された状態で成形が行われるため、製品の外周を均一（真円形）にすることができる。しかしその反面、型鍛造は、成形中に材料Ｗや型５，６に生じるストレスが大きく、型５，６が摩耗しやすい。また、成形された製品の厚みが不均一になりやすいという欠点がある。
【０００６】
図１０に示す中間鍛造の場合には、材料Ｗの中央部が上下の据込み型８，９によって拘束されるため、材料Ｗの中央部は正確な形状に成形できる。しかし材料Ｗの外周が拘束されていないために、成形された製品の外周が不均一になりやすいという問題がある。
【０００７】
以上述べたように、成形された製品の外径や厚さが不均一であると、その後に仕上げ成形や機械加工が行われても、外径や厚さの不均一の影響が残り、最終製品が形状不良となることがある。また、製品の外面を機械加工する際に、所定の仕上げ代を確保できない箇所が生じ、いわゆる黒皮残り等の不良品が発生する原因となる。
【０００８】
従ってこの発明の目的は、鍛造製品を所定の形状に正確に成形することができる鍛造用金型装置を提供することにある。
【課題を解決するための手段】
【０００９】
本発明の鍛造用金型装置は、下据込み型と、上据込み型と、可動式リング型とを備えている。下据込み型は、材料を載置する成形面を有している。上据込み型は下据込み型に対して昇降可能に設けられ、下据込み型の成形面と対向する成形面を有し、下据込み型に向かって降下したときに下据込み型の成形面との間で材料を成形するものである。
【００１０】
前記可動式リング型は、下据込み型に対し水平な姿勢で配置されかつ水平方向に移動自在である。この可動式リング型は、上方から見て円形の内周面を有し、その内側に前記材料が配置される。そして材料が成形される途中で、該材料の一部が前記可動式リング型の内周面に当接することによって、この可動式リング型が水平方向に移動する。前記上据込み型が下降端に至ると、該材料の外周全体が前記内周面によって拘束された状態で成形が完了する。
【００１１】
本発明の好ましい形態では、前記可動式リング型の内周面は、上部側の内径が下部側の内径よりも大となるように傾斜している。この構成により、成形後の製品を可動式リング型から取出すことが容易となる。
【００１２】
本発明の鍛造用金型装置においては、前記上据込み型が下降端に達した状態において、前記上据込み型の下面が前記可動式リング型の上面と干渉することを避けるために、上据込み型の下降端の位置を微調整することが可能な高さ調整手段を備えているとよい。
【発明の効果】
【００１３】
本発明によれば、鍛造された製品の外径や厚さが不均一になることを防止でき、正確な形状の鍛造製品を得ることができる。
【発明を実施するための最良の形態】
【００１４】
以下に本発明の一実施形態について、図１から図７を参照して説明する。  
図１は本実施形態の鍛造用金型装置１０を示す縦断面図である。この金型装置１０は、下型ユニット１１と上型ユニット１２とを備えている。
【００１５】
下型ユニット１１は、下型クランパー１５と、下取付台１６と、ノックアウトピン１７と、スペーサ１８と、下据込み型１９と、押え金具２０と、取付リング２１と、可動式リング型（フローティングリング型）２２などを備えている。
【００１６】
下据込み型１９は、下取付台１６の上にスペーサ１８を介して配置されている。下据込み型１９の上面側に、材料Ｗを載置する平坦な成形面２５が形成されている。成形面２５は上方から見て円形である。下据込み型１９は、取付リング２１を介して、押え金具２０によって所定位置に保持されている。
【００１７】
押え金具２０は、ボルト２６によって下型クランパー１５に固定されている。材料Ｗは円柱形をなし、予め切断装置によって所定の長さに切断されている。この材料Ｗは、下据込み型１９の成形面２５の上に、材料Ｗの軸線を垂直に立てた姿勢で載置される。
【００１８】
上型ユニット１２は、上型クランパー３０と、上取付台３１と、ねじ式高さ調整台３２と、ノックアウトピン３３と、上据込み型３４と、取付リング３５などを備えている。上据込み型３４は、下据込み型１９の成形面２５の上方に離間した状態で昇降可能に設けられ、図示しないプレス機によって、図１に示す上昇端Ｓ１と、図２に示す下降端Ｓ２とにわたって上下方向に駆動されるようになっている。
【００１９】
上据込み型３４は、下据込み型１９の成形面２５と対向する位置に平坦な成形面３６を有している。この成形面３６は、下方から見て円形をなしている。上据込み型３４が下据込み型１９に向かって降下したとき、下据込み型１９の成形面２５と上据込み型３４の成形面３６との間で材料Ｗが円板状に成形される。
【００２０】
上据込み型３４は、取付リング３５とボルト３７によって、ねじ式高さ調整台３２に固定されている。ノックアウトピン３３は、ばね３８によって下方に向かって付勢されている。
【００２１】
上取付台３１に雌ねじ部３１ａが形成されている。ねじ式高さ調整台３２の外周に雄ねじ部３２ａが形成されている。これら雌ねじ部３１ａと雄ねじ部３２ａが互いに螺合することにより、高さ調整手段を構成している。
【００２２】
ねじ式高さ調整台３２を垂直軸回りに回転させることにより、その回転量（螺進量）に応じて、ねじ式高さ調整台３２の高さ、すなわち上据込み型３４の高さを微調整することができる。ねじ式高さ調整台３２は、ボルト等の固定用部材３９によって、所望の高さの位置で固定される。
【００２３】
上記のように、ねじ式高さ調整台３２の高さを微調整することによって、上据込み型３４の下降端Ｓ２（図２に示す）の位置を微調整することができる。例えば、上据込み型３４が下降端Ｓ２に至った状態において、可動式リング型２２の上面と上据込み型３４が互いに干渉することを避けるために、ねじ式高さ調整台３２の高さが調整される。
【００２４】
可動式リング型２２は、下据込み型１９に対して水平な姿勢で配置されている。本実施形態の場合、可動式リング型１９は、下据込み型１９の成形面２５上に水平な姿勢で載置され、成形面２５上を水平方向に移動することができる。すなわちこの可動式リング型２２は、水平な平面内にて全方向（図１では矢印Ｙで示す方向）に移動することが可能である。
【００２５】
可動式リング型２２は、上方から見て円形の内周面４０を有し、内周面４０の内側に前記材料Ｗが配置されるようになっている。図１と図２に示すように、可動式リング型２２の内周面４０は、上部側の内径が下部側の内径よりも僅かに大となるようにテーパ状に傾斜している。
【００２６】
この可動式リング型２２は、下据込み型１９と上据込み型３４との間で材料Ｗが成形される途中において、材料Ｗの一部が内周面４０に当接したときに、水平方向すなわち径方向に移動することができる。そして、上据込み型３４が前記下降端Ｓ２に至った状態において、材料Ｗの外周全体が可動式リング型２２の内周面４０によって拘束された状態で、成形（密閉鍛造）が完了するようになっている。
【００２７】
次に、本実施形態の鍛造用金型装置１０の動作について説明する。  
図３（Ａ）（Ｂ）に示すように、下据込み型１９の成形面２５のほぼ中央に材料Ｗを置く。材料Ｗを置く位置は、型１９，３４の型中心Ｃ１から多少ずれていてもよい。成形面２５上に材料Ｗを乗せたのち、図示しないプレス機によって上据込み型３４を下据込み型１９に向かって降下させる。
【００２８】
図４（Ａ）（Ｂ）に示すように、上据込み型３４が降下することにより、材料Ｗが軸線方向に押し潰されつつ、外径が広がる方向に変形してゆく。このとき材料Ｗの外周は未だ可動式リング型２２の内周面４０に接していない。
【００２９】
上据込み型３４がさらに降下し、成形が進むと、図５（Ａ）（Ｂ）に示すように、材料Ｗがさらに偏平に押し潰され、外径が広がることにより、材料Ｗの外周の一部Ｗ１が可動式リング型２２の内周面４０に当接する。このため可動式リング型２２が矢印Ｆ方向に押されて移動しつつ、成形が進む。このように、可動式リング型２２が材料Ｗの成形中心Ｃ２に向かって水平方向に移動する。
【００３０】
上据込み型３４がさらに降下すると、図６（Ａ）（Ｂ）に示すように、それまで可動式リング型２２に接していた材料Ｗの一部Ｗ１とは反対側の部分Ｗ２が、可動式リング型２２の内周面４０に当接することによって、可動式リング型２２の前記矢印Ｆ方向の移動が止まる。この状態で成形が進むため、可動式リング型２２の内側に材料Ｗが満たされてゆく。
【００３１】
上据込み型３４が下降端Ｓ２に至ると、図７（Ａ）（Ｂ）に示すように、材料Ｗの外周全体が可動式リング型２２の内周面４０によって拘束された状態で成形が完了する。このことにより、厚みと外径が一定の据込み形状を有する製品Ｗ´が得られる。
【００３２】
以上説明した一連の工程では、型中心Ｃ１と成形中心Ｃ２とが、ΔＣだけずれた位置にて成形が完了する。しかし場合によっては、型中心Ｃ１と成形中心Ｃ２とがほぼ一致した状態で成形が完了することも有り得る。
【００３３】
成形後にノックアウトピン１７を上昇させることによって、成形後の製品Ｗ´を取出す。本実施形態の可動式リング型２２は、その内周面４０の上部側の内径が下部側の内径よりも大きいため、製品Ｗ´を可動式リング型２２から容易に取出すことができる。
【００３４】
本実施形態の鍛造用金型装置１０によれば、以上説明した可動式リング型２２を用いることにより、厚みと外径が均一な円板形の製品Ｗ´を得ることができる。このため、次工程（仕上げ成形等）において欠肉等の形状不良が生じたり、製品外面の機械加工を行う際に問題となる黒皮残り等の加工不良の発生を防止することができる。
【００３５】
本実施形態の鍛造用金型装置１０は、材料Ｗが成形される途中で、材料Ｗの塑性流動に応じて可動式リング型２２が自動的に成形中心Ｃ２に向かって移動するため、材料Ｗと型１９，３４に与えるストレスが少ない。つまり、予め所定寸法に切断されている材料Ｗの形状不良（例えば斜め切れ）や加熱むら、型１９，３４の摩耗による成形抵抗の変動等の要因による材料Ｗの不均一な変形が、可動式リング型２２の移動によって吸収され、偏荷重による過剰なストレスの発生を回避できる。
【００３６】
このため型トラブルの発生が減少し、型寿命が向上するという副次的効果もある。この鍛造用金型装置１０は、材料Ｗが成形される途中で可動式リング型２２が成形中心Ｃ２に向かって自動的に移動するため、成形前の材料Ｗが下据込み型１９の型中心Ｃ１上に正確に置かれていなくても、問題無く成形を行うことができる。このため、下据込み型１９上に材料Ｗを置く作業が容易である。
【００３７】
なお本発明を実施するに当たって、前記実施形態以外にも、下据込み型や上据込み型、可動式リング型等の具体的な構成や形状をはじめとして、本発明の構成要素を、発明の要旨を逸脱しない範囲で適宜変形して実施できることは言うまでもない。
【図面の簡単な説明】
【００３８】
【図１】本発明の一実施形態の鍛造用金型装置の縦断面図。
【図２】図１に示された鍛造用金型装置の上型ユニットが降下した状態の縦断面図。
【図３】（Ａ）は上据込み型が下降する前の状態を模式的に示す断面図、（Ｂ）は（Ａ）中のＸ１−Ｘ１線に沿う断面図。
【図４】（Ａ）は上据込み型が下降する途中の状態を模式的に示す断面図、（Ｂ）は（Ａ）中のＸ２−Ｘ２線に沿う断面図。
【図５】（Ａ）は上据込み型がさらに下降した状態を模式的に示す断面図、（Ｂ）は（Ａ）中のＸ３−Ｘ３線に沿う断面図。
【図６】（Ａ）は上据込み型が下降端に達する直前の状態を模式的に示す断面図、（Ｂ）は（Ａ）中のＸ４−Ｘ４線に沿う断面図。
【図７】（Ａ）は上据込み型が下降端に達した状態を模式的に示す断面図、（Ｂ）は（Ａ）中のＸ５−Ｘ５線に沿う断面図。
【図８】従来のフリー鍛造用金型装置の断面図。
【図９】従来の型鍛造用金型装置の断面図。
【図１０】従来の中間鍛造用金型装置の断面図。
【符号の説明】
【００３９】
１０…鍛造用金型装置
１９…下据込み型
２２…可動式リング型
２５…成形面
３４…上据込み型
３６…成形面
４０…内周面
Ｗ…材料
【図１】
2005254305.tif 000003
【図２】
2005254305.tif 000004
【図３】
2005254305.tif 000005
【図４】
2005254305.tif 000006
【図５】
2005254305.tif 000007
【図６】
2005254305.tif 000008
【図７】
2005254305.tif 000009
【図８】
2005254305.tif 000010
【図９】
2005254305.tif 000011
【図１０】
2005254305.tif 000012